(57)【要約】【課題】簡易的な構造で最短長さと最短時間で捕獲ワイヤの縮径作動が行えるループ状ワイヤの縮径付勢機構を提供する。【解決手段】踏板の周縁に囲繞したループワイヤとループワイヤの左右両自由端をそれぞれ別個に挿通したワイヤ挿通金具と、ワイヤ挿通金具の先方位置において二本のループワイヤの左右両自由端をそれぞれ引っ張り緊張してループワイヤを縮径操作するためのワイヤ引き上げ機構とより構成し、ワイヤ引き上げ機構は、ループワイヤの左右両自由端をそれぞれ挿管するための左右リングを先端に有した引き上げ杆と、引き上げ杆の起立付勢をするために引き上げ杆の基端に形成した起立付勢部とより構成する。【選択図】図１
2020184931.tif 000002
【特許請求の範囲】
【請求項１】
踏板の周縁に囲繞したループワイヤと、
ループワイヤの左右両自由端をそれぞれ別個に挿通したワイヤ挿通金具と、
ワイヤ挿通金具の先方位置において二本のループワイヤの左右両自由端をそれぞれ引っ張り緊張してループワイヤを縮径操作するためのワイヤ引き上げ機構とより構成したことを特徴とする害獣捕獲具におけるループ状ワイヤの縮径付勢機構。
【請求項２】
ワイヤ引き上げ機構は、ループワイヤの左右両自由端をそれぞれ挿管するための左右リングを先端に有した引き上げ杆と、引き上げ杆の起立付勢をするために引き上げ杆の基端に形成した起立付勢部とより構成したことを特徴とする害獣捕獲具におけるループ状ワイヤの縮径付勢機構。
【発明の詳細な説明】
【技術分野】
【０００１】
この発明は、害獣捕獲具におけるループ状ワイヤの縮径付勢機構に関する。
【０００２】
従来、害獣捕獲具は、害獣が踏板を踏むと踏板に係合したループ状の捕獲ワイヤが踏板から離脱してループ形状がスプリング等の縮径付勢機構を介して縮径して害獣の脚部を緊締して害獣を捕獲するように構成されている。
【０００３】
すなわち、害獣捕獲具の基本は、踏板とループ形状の捕獲ワイヤを踏板により隠蔽したトラップ構造と捕獲ワイヤの縮径作動を行うワイヤ縮径付勢機構とで構成されている（例えば、特許文献１）。
【先行技術文献】
【特許文献】
【０００４】
【特許文献１】特開２０１６−０３６３３１号公報
【発明の概要】
【発明が解決しようとする課題】
【０００５】
しかし、かかる従来の害獣捕獲具は、害獣が踏板を踏む動作を契機として捕獲ワイヤがスプリング等のループ縮径機構を介して縮径動作するまでの時間が長かった。その理由は、踏板の動作から捕獲ワイヤの縮径動作までの連動機構の構造が複雑でかつ、その間に介在した連動仲介機構の部品点数が多いことに由来する。
【０００６】
特に、ループ部の環状の一方のワイヤを付勢機構を介して強制的に引っ張ってループ部を縮径するために、縮径のためのワイヤ引っ張り長さがループ長さの大部分（すなわちループ長さから縮径上のワイヤ長さを減じた長さ）となるために引張り長さが長い分だけ縮径動作の時間も長くなり、害獣を取り逃すことも多くなる。
【０００７】
本発明では、簡易な構造で最短長さと最短時間で捕獲ワイヤの縮径作動が行えるように構成した害獣捕獲具におけるループ状ワイヤの縮径付勢機構を提供せんとするものである。
【課題を解決するための手段】
【０００８】
この発明は踏板の周縁に囲繞したループワイヤとループワイヤの左右両自由端をそれぞれ別個に挿通したワイヤ挿通金具と、ワイヤ挿通金具の先方位置において二本のループワイヤの左右両自由端をそれぞれ引っ張り緊張してループワイヤを縮径操作するためのワイヤ引き上げ機構とより構成したことを特徴とする害獣捕獲具におけるループ状ワイヤの縮径付勢機構に関する。
【０００９】
また、ワイヤ引き上げ機構は、ループワイヤの左右両自由端をそれぞれ挿管するための左右リングを先端に有した引き上げ杆と、引き上げ杆の起立付勢をするために引き上げ杆の基端に形成した起立付勢部とより構成したことに特徴を有する。
【発明の効果】
【００１０】
この発明によれば、踏板の周縁に囲繞したループワイヤとループワイヤの左右両自由端をそれぞれ別個に挿通したワイヤ挿通金具と、ワイヤ挿通金具の先方位置において二本のループワイヤの左右両自由端をそれぞれ引っ張り緊張してループワイヤを縮径操作するためのワイヤ引き上げ機構とより構成し、また、ワイヤ引き上げ機構は、ループワイヤの左右両自由端をそれぞれ挿管するための左右リングを先端に有した引き上げ杆と、引き上げ杆の起立付勢をするために引き上げ杆の基端に形成した起立付勢部とより構成したことにより、踏板を踏んでループワイヤが縮径作動し害獣の脚体を捕縛する際に、ループワイヤの左右両自由端をそれぞれ同時に引っ張ることでループワイヤが縮径作動する際の縮径距離を短縮できる。
従って、従来のループワイヤ縮径作動時間の半分で縮径することができるようになり、害獣捕獲のための害獣の脚体捕縛時間を短縮して捕獲効率を格段に向上することができる効果がある。
【図面の簡単な説明】
【００１１】
【図１】本発明の実施形態における害獣捕獲装置を示す斜視図である。
【図２】本発明の実施形態における害獣捕獲装置を示す側面図である。
【図３】本発明の実施形態における筒基盤の構造を示す断面図である。
【図４】本発明の実施形態におけるワイヤ挿通金具を示す斜視図であり、（ａ）は一の実施形態を示す斜視図であり、（ｂ）、（ｃ）は他の実施形態を示す斜視図である。
【図５】本発明の実施形態における図１の左右リングの拡大図である。
【図６】本発明の実施形態における流通逆機構の作動を示す断面図であり、（ａ）は、ワイヤを解除した状態を示す図であり、（ｂ）は、ワイヤを固定した状態を示す図である。
【図７】本発明の実施形態における流通逆止機構の内部構造を示す断面図であり、（ａ）は、ワイヤを解除した状態を示す図であり、（ｂ）は、ワイヤを固定した状態を示す図である。
【図８】本発明の実施形態における害獣捕獲装置の作動状態を示す側面図である。
【発明を実施するための形態】
【００１２】
この発明の要旨は、踏板の周縁に囲繞したループワイヤとループワイヤの左右両自由端をそれぞれ別個に挿通したワイヤ挿通金具と、ワイヤ挿通金具の先方位置において二本のループワイヤの左右両自由端をそれぞれ引っ張り緊張してループワイヤを縮径操作するためのワイヤ引き上げ機構とより構成し、また、ワイヤ引き上げ機構は、ループワイヤの左右両自由端をそれぞれ挿管するための左右リングを先端に有した引き上げ杆と、引き上げ杆の起立付勢をするために引き上げ杆の基端に形成した起立付勢部とより構成としたことにある。
【００１３】
この発明の実施例を図面に基づき詳細に説明する。
図１は、本発明の縮径付勢機構を具備した害獣捕獲装置の全体説明図を示しており、図２は本発明のループ状ワイヤの縮径付勢機構の要部を示す一部拡大説明図である。図３は、本発明の実施形態における筒基盤の構造を示す断面図である。図４は、本発明の実施形態におけるワイヤ挿通金具を示す斜視図である。図５は、本発明の実施形態における図１の左右リングの拡大図である。図６は、本発明の実施形態における流通逆止機構の作動を示す断面図である。図７は、本発明の実施形態における流通逆止機構の内部構造を示す断面図である。図８は、本発明の実施形態における害獣捕獲装置の作動状態を示す側面図である。
【００１４】
害獣捕獲装置Ｍは、トラップ機構部１０とトラップ機構部１０の作動を制御するループ縮径作動部３０とより構成されている。
【００１５】
トラップ機構部１０は、一定高さを有する周壁を有した平面視略楕円形状の筒基盤１１と、筒基盤１１の開放部を閉塞するように踏板１２を嵌着している。
【００１６】
筒基盤１１は、周壁面１１ａと底面１１ｂとを一体とした略箱形状に構成しており、周壁面１１ａの内周壁から筒基盤１１の内方に向けて円柱状の支持突起部１３を複数突設している。支持突起部１３は、平面視略半円状で上端部を平面に構成し、後述する踏板１２を支持している。また、筒基盤１１は周壁面１１ａの上方縁部１１ｃの一部を正面視略矩形状に切り欠いた切欠部１１ｄを有している。
このように構成した筒基盤１１は地上面に掘削した設置用孔Ｇに嵌着されており、設置用孔Ｇの上端開口部を害獣Ｖが認識できないように踏板１２で閉塞されている。
【００１７】
踏板１２は平面視略楕円形状に構成されており、図１および図３に示すように外周面１２ａにループワイヤ１４を囲繞している。踏板１２は、前述の通り筒基盤１１の周壁面１１ａから内方に向けて突設した支持突起部１３によって下部周縁を支持されており、害獣Ｖが踏板１２の略中央部を踏むことで変形して筒基盤１１内に容易に落下できるように構成している。
【００１８】
すなわち、踏板１２は害獣Ｖによる下方への押圧動作により筒基盤１１の内部に変形落下することで、踏板１２の外周面を囲繞したループワイヤ１４の囲繞規制が解除され、ループワイヤ１４が縮径して害獣Ｖの脚体を捕縛する。
【００１９】
ループワイヤ１４はループ形態の基端部に位置する左右両自由端１５、１５を伸延してそれぞれワイヤ挿通金具２０に挿通されている。
【００２０】
ワイヤ挿通金具２０は、筒基盤１１の周壁面１１ａに切り欠いた略矩形状の切欠部１１ｄに遊嵌されており、ループワイヤ１４の基端部の左右両自由端１５、１５を保持しつつ、ループワイヤ１４の先方にループ形状を形成保持するように機能する。
【００２１】
ワイヤ挿通金具２０は、図４（ａ）に示すように、略直方形状の金属塊で正面から背面にかけワイヤ挿通孔２１、２１を穿設している。左右のワイヤ挿通孔２１、２１は、正面から背面に向けて互いの間隔を狭くするように穿設されており、穿設幅の広い側をループワイヤ１４の基端部である左右両自由端１５、１５に向けて配設している。
【００２２】
このように、ワイヤ挿通金具２０を構成することで、ループワイヤ１４が縮径作動する際のワイヤ１６の縮径作動を阻害する虞を低減し、害獣捕獲装置Ｍが滑らかに駆動できるように構成している。
【００２３】
また、ワイヤ挿通金具２０は、ループワイヤ１４が縮径作動する際のワイヤ１６の移動方向を誘導できればどのような形態でもよく、例えば、図４（ｂ）に示すように、長方形の金属板を台形状に折曲して、折り曲げた端面同士を突き合わせることで台形状の金属板の内部に台形中空部２２を構成し、該台形中空部２２を通過するようにループワイヤ１４の左右両自由端１５、１５を挿貫する構成としていてもよい。
【００２４】
また、ワイヤ挿通金具２０は、図４（ｃ）に示すように、図４（ｂ）に示す台形状の金属板と略同形状であり、該金属板の側部に金属板を折曲加工しやすいように加工孔２３を穿設した構成としていてもよい。
【００２５】
このワイヤ挿通金具２０に挿通したループワイヤ１４の左右両自由端１５、１５はワイヤ挿通金具２０の先方位置でループ縮径作動部３０のワイヤ引き上げ機構３１に連結されている。
【００２６】
ワイヤ引き上げ機構３１は、図１、２および図５に示すように、弾性素材の線体を二つ折りして、その折曲基部を起立付勢部３２とし、二つ折りの上側の線体をワイヤ引き上げ機能を有する引き上げ杆３３とし、二つ折りの下側の線体は、引き上げ杆３３の引き上げ付勢を効率的に機能させるためにアンカー５０を介して地上に中途部を固定した固定杆３５で構成している。
【００２７】
引き上げ杆３３は、先端に左右リング３４ａ、３４ｂを形成した先端部３３ａと、基端を巻きバネ状に形成するためのバネ導出部３３ｂと、先端部３３ａ近傍で下方に折曲した引き上げ方向導出部３３ｃと、引き上げ杆３３の本体部分となる本体部３３ｄと、より構成されている。
【００２８】
特に、引き上げ方向導出部３３ｃは、１３０度〜１６０度位の角度を形成しており、引き上げ杆３３と固定杆３５とを基部での巻きバネの直径長さの間隔で離反したＵ字形状にした場合に、ループワイヤ１４の左右自由端を最も上方に引き上げやすく、かつ、踏板１２の落下と対向してループワイヤ１４を可及的に上方に引上げながら引っ張ってループワイヤ１４が縮径するときに害獣Ｖの脚体の上部を捕縛できるように引き上げ杆３３を跳ね上げ作動するよう形成している。
【００２９】
また、本体部３３ｄは、中央部に凹部を構成しており該凹部に固定具３８を係合している。固定具３８は、鉤爪状のフック部３８ａと、略円形のループ部３８ｂとする正面視略ａ字形状に構成している。固定具３８は、フック部３８ａを本体部３３ｄに係合し、略円形のループ部３８ｂに固定杆３５を挿通することで引き上げ機構３１の上方への引き上げ作動を規制している。
【００３０】
固定杆３５は、起立付勢部３２近傍の基端部３５ｂから先端部３５ａにかけて略中央部を上方凸形状の略弓なり形状に本体部３５ｃを形成している。本体部３５ｃの凸部には、前述のループ部３８ｂを係合している。すなわち、本体部３５ｃは、固定杆３５の下面側をループ部３８ｂに係合することで、引き上げ杆３３が本体部３３ｄの上方への付勢力により引き上げられることでフック部３８ａを上方に引き上げられ、固定具３８がフック部３８ａとループ部３８ｂとで固定される。
【００３１】
また、固定杆３５の本体部３５ｃは地上面に固設するためのアンカー５０に係合固定しており、固定杆３５の先端部３５ａを上方に向けて略直角に折曲している。
【００３２】
アンカー５０は、平面視略長方形状の板体で中央部に半円状の穴を有する突起部５１を構成している。アンカー５０は、長手方向の両端部近傍に孔５２ａ、５２ｂを穿設している。その孔５２ａ、５２ｂにはアンカー５０を固定するための略逆Ｊ字状の杭５３ａ、５３ｂを挿通している。
【００３３】
このようにアンカー５０を構成することで、アンカー５０の略中央に設けた突起部５１に固定杆３５を挿通し、この状態にてアンカー５０を杭５３ａ、５３ｂを利用して地上面に固定している。
【００３４】
また、固定杆３５の先端部３５ａ近傍には、正面視略長方形状の板体６０を配設しており、該板体６０にワイヤ保持機能部３６を連結している。
板体６０は、図５に示すように、板体６０の平面にワイヤ１６を挿通するための二つの孔６０ａ、６０ｂを穿設しており、この二つの孔６０ａ、６０ｂの略中央部に固定杆３５の先端部３５ａを接触するように配設している。
【００３５】
ワイヤ保持機能部３６は、図６（ａ）、（ｂ）、図７（ａ）、（ｂ）に示すように、ループワイヤ１４の基部に位置する左右両自由端１５、１５をループワイヤ１４側には流通可能で、その反対方向には流通不可となる一方向流通の流通逆止機構４０を内蔵した構造に構成している。
【００３６】
流通逆止機構４０は、図６（ａ）、（ｂ）、図７（ａ）、（ｂ）に示すように、外筒４１と内筒４２とボール４４とバネ機構４５とで構成している。外筒４１は、断面略円形状で内周面４１ａをテーパ形状としている。内筒４２は、断面略円形状で周壁にボール挿通孔４３を穿設している。ボール挿通孔４３は、内筒４２の半径方向外方に向けて孔の幅が漸次狭くなるテーパ形状に構成している。また、外筒４１は、内筒４２とバネ機構４５を内包しており、内筒４２は外筒４１のテーパ形状の幅狭側、すなわち、図７における左方向にバネ機構４５によって付勢され位置固定されている。
このように流通逆止機構４０を構成することで、ワイヤ１６の一方向のみの挿通を果たしている。
【００３７】
ここで流通逆止機構４０の作動を図６（ａ）、（ｂ）を参照して説明する。ワイヤ１６が流通逆止機構４０を介してループワイヤ１４側に引っ張られる場合（図６（ａ）の左側に移動する場合）、ワイヤ１６の移動と連動して接触したボール４４が左方向に移動させられる。
このボール４４の左方向への移動に伴いボール４４が内筒４２のボール挿通孔４３に接触して内筒４２を左方に移動させる。内筒４２が左方へ移動すると、ボール４４がさらに左方に移動できるようになる。すると、左方に移動したボール４４が外筒４１の内周面４１ａと接触して外筒４１の軸方向に移動させられることでボール４４がワイヤ１６を押圧して、移動できないように固定できる。
【００３８】
このように流通逆止機構４０を構成することでワイヤ１６がループワイヤ１４側に引っ張られることを規制し、ループワイヤ１４及びループワイヤ１４の基端部である左右両自由端１５、１５のワイヤ長を略一定の状態に維持できる。
【００３９】
すなわち、流通逆止機構４０によるループワイヤ１４のワイヤ長を略一定の状態に維持することで、害獣捕獲装置Ｍが作動した際、引き上げられるワイヤ１６は全てループワイヤ１４を構成するワイヤであり、ループワイヤ１４の縮径作動を短時間で実施することで確実に害獣Ｖを捕獲できる。
【００４０】
このように構成された害獣捕獲装置Ｍの動作について、図８を参照して説明する。
【００４１】
まず、地面に穿設した設置用孔Ｇにトラップ機構部１０の筒基盤１１を嵌入し、その上部に踏板１２を配設する。
【００４２】
次に、踏板１２の外周壁に図３に示すように、害獣捕獲用のワイヤ１６を囲繞してループワイヤ１４を構成する。
【００４３】
次に、ループワイヤ１４の端部である左右両自由端１５、１５を図４（ａ）〜（ｃ）に示すワイヤ挿通金具２０に穿設したワイヤ挿通孔２１、２１に挿通する。
【００４４】
次に、ワイヤ挿通孔２１、２１を通過したワイヤ１６、１６をループ縮径作動部３０の引き上げ杆３３の先端部３３ａに設けた左右リング３４ａ、３４ｂに挿通する。
【００４５】
次に、ワイヤ１６の端部から板体６０とワイヤ保持機能部３６を一体に構成した流通逆止機構４０を挿入し、固定杆３５の先端部３５ａに接触する位置まで移動させる。
【００４６】
次に、固定杆３５の略中央部とワイヤ保持機能部３６の後端部との間に設けたアンカー５０で固定杆３５を地面に固定する。
【００４７】
最後に、ワイヤ１６の端部を樹木Ｔなど容易に移動しない物に固定することで、この害獣捕獲装置Ｍの設置が完了する。
なお、害獣捕獲装置Ｍは、起立付勢部３２によって常に上方への付勢力が生起されており、罠を設置している最中に引き上げ杆３３の起立付勢部３２を中心とした回転作動が生起しないように引き上げ杆３３と固定杆３５とを固定具３８で一定の距離に固定している（図１参照）。
【００４８】
このような手順で設置された害獣捕獲装置Ｍは、次のような動作で害獣Ｖの脚体を捕獲する。
【００４９】
害獣捕獲装置Ｍは、踏板１２を害獣Ｖが押圧し、踏板１２が筒基盤１１の内方へと沈降変位した際に捕獲作動が生起される。
すなわち、害獣捕獲装置Ｍは、踏板１２が沈降変位した際に筒基盤１１の外周壁を囲繞したループワイヤ１４が沈降変位し、該ループワイヤ１４の沈降変位に伴い、ワイヤ挿通金具２０を下方に変位させる。ワイヤ挿通金具２０は筒基盤１１の切欠部１１ｄとの間に若干の隙間を形成しており、ワイヤ挿通金具２０の下方変位に追従して左右両自由端１５、１５を下方変位させる。
【００５０】
この左右両自由端１５、１５を下方変位させると、引き上げ杆３３の先端部３３ａの左右リング３４ａ、３４ｂが下方に引っ張られて引き上げ杆３３が下方に変位する。
【００５１】
すると、引き上げ杆３３と固定杆３５の距離を一定に保つ固定具３８への起立付勢部３２による拡開荷重が一瞬解除されて固定具３８が自由に動ける状態を生起できる。このように引き上げ杆３３と固定杆３５に対する拡開荷重がワイヤ挿通金具２０の下方変位によって一瞬解除されることで、固定具３８のフック部３８ａの引き上げ杆３３との係止状態が解除されて、引き上げ杆３３に上方への引き上げ作動が生起される。
【００５２】
ループワイヤ１４のループ部は、固定具３８による引き上げ杆３３の拡開作動を阻害する要因がなくなることで、引き上げ杆３３が上方に起立付勢してループワイヤ１４基部の左右両自由端１５、１５を左右リング３４ａ、３４ｂを介して上方に引っ張ることとなりループワイヤ１４が縮径作動される。
【００５３】
かかるループワイヤ１４の縮径作動時における左右両自由端１５、１５は左右リング３４ａ、３４ｂによって左右同時に上方へと引っ張られる。
【００５４】
すなわち、ループワイヤ１４は、左右両自由端１５，１５が上方に左右同時に引っ張られるため、上方に引っ張られるループワイヤ１４のワイヤ長が上方移動する際の略半分の引っ張り距離と引っ張り時間で縮径作動できる。
【００５５】
従って、本発明の構成によれば従来のトラップ機構と比較して迅速に害獣Ｖの脚体を捕縛できることになり、従来のトラップ機構より捕縛効率を格段に向上することができる効果がある。
【００５６】
なお、本発明は上述した実施形態に限られず、上述した実施形態の中で開示した各構成を相互に置換したり組合せを変更したりした構成、並びに公知発明及び上述した実施形態の中で開示した各構成を相互に置換したり組合せを変更したりした構成なども含まれる、また、本発明の技術的範囲は上述した実施形態に限定されず、特許請求の範囲に記載された事項とその均等物まで及ぶものである。
【符号の説明】
【００５７】
Ｇ    設置用孔
Ｍ    害獣捕獲装置
Ｔ    樹木
Ｖ    害獣
１０    トラップ機構部
１１    筒基盤
１１ａ  周壁面
１１ｂ  底面
１１ｃ  上方縁部
１１ｄ  切欠部
１２    踏板
１２ａ  外周面
１３    支持突起部
１４    ループワイヤ
１５    左右両自由端
１６    ワイヤ
２０    ワイヤ挿通金具
２１    ワイヤ挿通孔
２２    台形中空部
２３    加工孔
３０    ループ縮径作動部
３１    ワイヤ引き上げ機構部
３２    起立付勢部
３３    引き上げ杆
３３ａ  先端部
３３ｂ  バネ導出部
３３ｃ  引き上げ方向導出部
３３ｄ  本体部
３４ａ、３４ｂ  左右リング
３５    固定杆
３５ａ  先端部
３５ｂ  基端部
３５ｃ  本体部
３６    ワイヤ保持機能部
３８    固定具
３８ａ  フック部
３８ｂ  ループ部
４０    流通逆止機構
４１    外筒
４１ａ  内周面
４２    内筒
４３    ボール挿通孔
４４    ボール
４５    バネ機構
５０    アンカー
５１    突起部
５２ａ、５２ｂ  孔
５３ａ、５３ｂ  杭
６０    板体
６０ａ、６０ｂ  孔
【図１】
2020184931.tif 000003
【図２】
2020184931.tif 000004
【図３】
2020184931.tif 000005
【図４】
2020184931.tif 000006
【図５】
2020184931.tif 000007
【図６】
2020184931.tif 000008
【図７】
2020184931.tif 000009
【図８】
2020184931.tif 000010